(57)【要約】【課題】テープの使用を容易ならしめると同時に、被膜物質を所定の紙面へ効率よく接着できるように構成した接着テープ転写具を提供する。【解決手段】被膜物質が被覆されたテープロールを収容し結合する、分離可能な一対のケーシング内に着脱可能に結合され、前記テープロールを枢支して、先端部がテープ引出口側の外部に突出してテープロールから引き出されるテープの経由を案内する、先端部に長手方向に沿って外側へ開口する結合孔を有したテープ支持用フレームと、前記結合孔の内部に回動可能に一端を結合される結合軸部と、前記結合軸部の他端に直交する両方向に延設され、テープの被膜物質が紙面へ接着されるよう前記テープを押さえ付ける案内棒部と、当該案内棒部の両端から上方に突設され、テープの離脱を防止する突部とより成るガイドチップを含む。【選択図】図１
2004268412.tif 000002
【特許請求の範囲】
【請求項１】
被膜物質が被覆されたテープロールを収容し結合する、分離可能な一対のケーシングの一方の端部にテープ引出口が形成され、前記テープ引出口を通して被膜物質を所定の紙面へ接着する接着テープ転写具において、
前記ケーシング内に着脱可能に結合され、前記テープロールを枢支して、先端部が前記テープ引出口側の外部に突出してテープロールから引き出されるテープの経由を案内する、先端部に長手方向に沿って外側へ開口する結合孔を有したテープ支持用フレームと、
前記テープ支持用フレームの結合孔の内部に回動可能に一端を結合される結合軸部と、前記結合軸部の他端に当該結合軸部と直交する両方向に延設され、前記テープロールから引き出されるテープの被膜物質が紙面へ接着されるよう前記テープを押さえ付ける案内棒部と、当該案内棒部の両端から上方に突設され、テープの離脱を防止する突部とより成るガイドチップを含むことを特徴とする、接着テープ転写具。
【請求項２】
前記テープ支持用フレームの結合孔とガイドチップを備えた結合軸部には、その長手方向に沿って形成された作動溝と、これに係合する突出型のストッパーがそれぞれ設けられ、前記結合孔内でのガイドチップの回動が前記作動溝の幅だけ行えるように構成したことを特徴とする、請求項１記載の接着テープ転写具。
【請求項３】
前記ガイドチップを備えた結合軸部の外周面と、当該結合軸部を結合する前記テープ支持用フレームの結合孔の内周面には、環状の結合溝と結合突起がそれぞれ設けられており、使用時において前記ガイドチップを備えた結合軸部が前記結合孔へ挿入された際、前記結合突起と結合溝の結合により結合力が強化される構成としたことを特徴とする、請求項１記載の接着テープ転写具。
【請求項４】
前記環状の結合溝は前記ガイドチップを備えた結合軸部に設けられたストッパーの終端部に設けられていることを特徴とする、請求項３記載の接着テープ転写具。
【請求項５】
前記テープ支持用フレーム先端の両側には、前記テープをガイドチップ側へ案内するガイド片が設置されていることを特徴とする、請求項１記載の接着テープ転写具。
【発明の詳細な説明】
【０００１】
【発明の属する技術分野】
本発明は、接着テープ転写具の技術分野に属し、更に云えば、テープ支持用フレームの先端に所定角度で回動可能なガイドチップを具備することにより、テープの使用を容易ならしめると同時に、接着物質等のテープ被膜物質を、所定の紙面へ所定の弾力を維持しながら効率よく接着できるように構成した接着テープ転写具に関する。
【０００２】
【従来の技術】
一般に封筒などの封をする際には、接着のりで貼り付けるが、この場合、通常使用上の利便性及び容易性を向上させるために、前記接着のりを塗布用容器などに入れて使用される。しかし、前記接着のりは多くの乾燥時間を必要とするという欠点がある。このため、最近ではこのように多くの乾燥時間を要する接着のりの代わりに、接着テープ転写具が好んで使用されることが多い。
【０００３】
前記接着テープ転写具は、接着物質が被覆されたテープロールがケース内部に収容され設置されて、前記テープロールの接着物質が、所定の経路を経て、ケースの一端に設けられた引出口を通して所定の紙面へ接着される構造を有する。前記接着物質は、テープロールが前記引出口に突設されたガイドに案内されて紙面へ接着される。しかしながら、従来、接着物質を所定の紙面へ接着する前記ガイドの構造が十分満足できるものではなかったことから、前記接着物質は紙面へきれいに接着できず、かなり残された状態でテープロールに再度巻取られるので、資源の浪費が問題とされている。
【０００４】
接着テープ転写具に関する従来技術としては、例えば本出願人の下記特許文献１などが開示されている。
【０００５】
【特許文献１】
特開２００３−３８９９６号公報
【０００６】
【発明が解決しようとする課題】
本発明の目的は、接着テープ転写具の内部に設けられるテープ支持用フレームの先端に、所定角度で回動可能なガイドチップを具備することにより、テープロールの接着物質の接着面積を大きくして、所定の弾力を維持しながら所定の紙面へ効率よく接着できるように構成した接着テープ転写具を提供することにある。
【０００７】
【課題を解決するための手段】
上記目的を達成するために、請求項１に記載した発明に係る接着テープ転写具は、
被膜物質が被覆されたテープロールを収容し結合する、分離可能な一対のケーシングの一方の端部にテープ引出口が形成され、前記テープ引出口を通して被膜物質を所定の紙面へ接着する接着テープ転写具において、
前記ケーシング内に着脱可能に結合され、前記テープロールを枢支して、先端部が前記テープ引出口側の外部に突出してテープロールから引き出されるテープの経由を案内する、先端部に長手方向に沿って外側へ開口する結合孔を有したテープ支持用フレームと、
前記テープ支持用フレームの結合孔の内部に回動可能に一端を結合される結合軸部と、前記結合軸部の他端に当該結合軸部と直交する両方向に延設され、前記テープロールから引き出されるテープの被膜物質が紙面へ接着されるよう前記テープを押さえ付ける案内棒部と、当該案内棒部の両端から上方に突設され、テープの離脱を防止する突部とより成るガイドチップを含むことを特徴とする。
【０００８】
請求項２記載の発明は、請求項１記載の接着テープ転写具において、
前記テープ支持用フレームの結合孔とガイドチップを備えた結合軸部には、その長手方向に沿って形成された作動溝と、これに係合する突出型のストッパーがそれぞれ設けられ、前記結合孔内でのガイドチップの回動が前記作動溝の幅だけ行えるように構成したことを特徴とする。
【０００９】
請求項３記載の発明は、請求項１記載の接着テープ転写具において、
前記ガイドチップを備えた結合軸部の外周面と、当該結合軸部を結合する前記テープ支持用フレームの結合孔の内周面には、環状の結合溝と結合突起がそれぞれ設けられており、使用時において前記ガイドチップを備えた結合軸部が前記結合孔へ挿入された際、前記結合突起と結合溝の結合により結合力が強化される構成としたことを特徴とする。
【００１０】
請求項４記載の発明は、請求項３記載の接着テープ転写具において、
前記環状の結合溝は前記ガイドチップを備えた結合軸部に設けられたストッパーの終端部に設けられていることを特徴とする。
【００１１】
請求項５記載の発明は、請求項１記載の接着テープ転写具において、
前記テープ支持用フレーム先端の両側には、前記テープをガイドチップ側へ案内するガイド片が設置されていることを特徴とする。
【００１２】
【発明の実施の形態】
以下、添付図面を参照して、本発明の好適な実施例を詳細に説明する。
【００１３】
図１は、本発明に係る接着テープ転写具を示す分離斜視図である。
【００１４】
当該図１に示すように、本発明の接着テープ転写具１００は、分離可能に結合される一対のケーシング１１０ａ、１１０ｂを備えており、そのケーシング１１０ａ、１１０ｂの内部には、一方のケーシング１１０ａ側にテープ支持用フレーム１２０が着脱可能に結合される。このテープ支持用フレーム１２０には、互いに噛合して回転する少なくとも２つの歯車１１４、１１６が支持される構成である。
【００１５】
前記第１歯車１１４には、これと同時に回転する接着用テープロール１１８が当該第１歯車１１４の一側に結合される。前記接着用テープロール１１８から引き出された接着テープ１１９は、前記ケーシング１１０ａ、１１０ｂの一端に形成された接着テープ引出口１１２ａ、１１２ｂを経由してから、前記第２歯車１１６側へ固定される。
【００１６】
前記接着テープ１１９は、テープ本体と、その一側面に被覆された粘着性を有する接着物質または修正物質（以下、単に「被膜物質」と云う。）とから構成される。前記接着テープ１１９は、被膜物質が紙面等の被接着物との接着に使用された後に、被覆物質がとれた空のテープが前記第１歯車１１４と同時に回転する第２歯車１１６へ連続的に巻取られ、容易に回収される。
【００１７】
なお、符号１０２は、引出口１１２ａ、１１２ｂを経由した接着テープ１１９の外部に露出する被膜物質の乾燥を防止するため、前記引出口１１２ａ、１１２ｂに設置される保護キャップを示している。符号１０４は、前記ケーシング１１０ａと１１０ｂの結合時において、その分離を防止するための固定具を示している。
【００１８】
また、前記テープ支持用フレーム１２０の先端には、ガイドチップ１４０が枢設される。これは本発明の特長たる部分であり、図２〜図４に当該ガイドチップ１４０の構造を詳細に示している。
【００１９】
図２は、本発明に係る接着テープ転写具の要部構成であるガイドチップ１４０の分離状態を示す斜視図であり、図３は、本発明に係る接着テープ転写具の要部構成であるガイドチップ１４０にテープが案内された状態を示す斜視図である。図４は、本発明に係る接着テープ転写具の要部構成であるガイドチップ１４０の分離状態を示す断面図であり、図５は本発明に係る接着テープ転写具の要部構成であるガイドチップ１４０の回動状態を説明する図である。
【００２０】
これら図１〜図５に示すように、テープ支持用フレーム１２０の先端には、その先端の長手方向に沿って外部に開口している結合孔１３０が形成されている。前記結合孔１３０にガイドチップ１４０が回動可能に結合され、これにより被膜物質が所定の紙面へ接着できる。また、図示したように、前記テープ支持用フレーム１２０先端の両側に、前記テープ１１９を案内するためのガイド片１２２を設置して実施することが望ましい。
【００２１】
前記ガイドチップ１４０は、前記結合孔１３０の内部に回動可能に結合される結合軸部１４２と、前記結合軸部１４２の一端部で前記軸部１４２と直交する両方向に延設され、前記テープロール１１８から引き出されるテープ１１９の被膜物質が紙面へ接着されるように前記被膜物質を押さえ付ける案内棒部１４４と、前記案内棒部１４４の両端から上方に突設され、テープ１１９の離脱を防止する突部１４６とから構成される。
【００２２】
このようなガイドチップ１４０の結合軸部１４２には、長手方向に沿って突出型のストッパー１４８が設けられ、前記結合孔１３０には前記ストッパー１４８が係合する作動溝１３２が設けられ、前記結合孔１３０内での当該ガイドチップ１４０の回動角度が前記作動溝１３２の幅だけ行えるように設定される。
【００２３】
図５は、前記作動溝１３２におけるガイドチップ１４０の所定角度の回動状態を示しており、同図を参照して説明すると、前記ガイドチップ１４０の回動時において、結合孔１３０の作動溝１３２に係合されたストッパー１４８はその作動溝１３２の幅内のみで回動する。このような回動角度は、中心線（Ｌ）を基準として上下にそれぞれ１５〜１８°に設定することが最も望ましい。即ち、前記ガイドチップ１４０の回動角度は３０〜３６°の範囲にすることが望ましい。
【００２４】
また、前記ガイドチップ１４０の結合軸部１４２の外周面と、これを結合する前記結合孔１３０の内周面には、それぞれ環状の結合溝１４３と結合突起１３３が設けられ、これにより、使用時に前記ガイドチップ１４０の結合軸部１４２が結合孔へ挿入された際に、前記結合突起１４３と結合溝１３３の結合により結合力が強化される。また、前記環状の結合溝１４３は前記結合軸部１４２に設けられたストッパー１４８の終端部に設けられる。
【００２５】
前記ガイドチップ１４０の所定角度の回動により、被膜物質の所定紙面への接着作業が容易で、非常に使い勝手が良いものとなる。以下、その詳細について説明する。
【００２６】
まず、前記被膜物質を所定の紙面へ接着させるために、前記ガイドチップ１４０により所定の力で紙面を押さえ付けると、その押力により前記ガイドチップ１４０が所定角度で回動し、これによりガイドチップ１４０が所定のテンションを持って、その結果、被膜物質を容易に接着できるのである。
【００２７】
また、前記ガイドチップ１４０が所定角度で回動することにより、前記ガイドチップ１４０に案内されるテープ１１９には捩じれが起こり、これにより若干の引張力が発生してテープ１１９の引出が容易になるので、容易に接着することができる。
【００２８】
前記ガイドチップ１４０が回動可能なので、本発明の接着テープ転写具１００は、いずれの位置を手で握っても使用でき、大変便利である。即ち、前記接着テープ転写具１００をいずれの方向から握っても前記ガイドチップ１４０が回動して好適に使用でき、使い勝手が良い。
【００２９】
このように、前記ガイドチップ１４０がテープ支持フレーム１２０先端の結合孔１３０に結合される構成は、本発明の接着テープ転写具１００の組立を簡便にすると同時に、容易にリフィルを取り替えることを可能とするので、製作単価を低減することができる。
【００３０】
前記ガイドチップ１４０に設けられた突部１４６によりテープ１１９の移動が円滑に行われる。即ち、テープ１１９を押さえ付けて被膜物質を所定の紙面へ接着させる際、前記突部１４６がそのテープ１１９の両側端を支持して、テープ１１９の揺れを防ぐからである。
【００３１】
前記ガイドチップ１４０が所定角度で回動して、この回動範囲内では被膜物質の接着面積は大きく接着効率に優れているので、被膜物質の接着位置（使用角度）にさほどこだわる必要はない。
【００３２】
このように所定角度で回動可能なガイドチップ１４０により、被膜物質を所定の紙面へ効率よく接着できるようになる。したがって、上述した実施例の接着テープ転写具とは同一の構造ではないとしても、同様な目的で使用される他の接着テープ転写具において、テープガイド用部材として前記ガイドチップ１４０を上記したように設置すれば、本発明の実施に属すると云える。
【００３３】
【発明の効果】
以上説明したように、本発明に係る接着テープ転写具は、その内部に設けられるテープ支持用フレームの先端に、所定角度で回動可能なガイドチップを具備するので、テープロールの被膜物質は、その接着面積が大きく、所定の弾力を維持しながら所定の紙面へ効率よく接着することができる。
【図面の簡単な説明】
【図１】本発明に係る接着テープ転写具を示す分離斜視図である。
【図２】本発明に係る接着テープ転写具の要部構成であるガイドチップの分離形態を示す斜視図である。
【図３】本発明に係る接着テープ転写具の要部構成であるガイドチップにテープが案内される状態を示す斜視図である。
【図４】本発明に係る接着テープ転写具の要部構成であるガイドチップの分離状態を示す断面図である。
【図５】本発明に係る接着テープ転写具の要部構成であるガイドチップの回動状態を説明するための図である。
【符号の説明】
１００  接着テープ転写具
１１０ａ、１１０ｂ  ケーシング
１１２ｂ、１１２ｂ  引出口
１１８  テープロール
１１９  テープ
１２０  テープ支持用フレーム
１２２  ガイド片
１３０  結合孔
１３２  作動溝
１３３  結合突起
１４０  ガイドチップ
１４２  結合軸部
１４３  環状の結合溝
１４４  案内棒部
１４６  突部
１４８  突起型ストッパー
【図１】
2004268412.tif 000003
【図２】
2004268412.tif 000004
【図３】
2004268412.tif 000005
【図４】
2004268412.tif 000006
【図５】
2004268412.tif 000007